(57)【特許請求の範囲】
【請求項１】
一方側に吸入口、他方側に排出口が設けられ、内部に空気流通路が形成された本体ケーシングと、
この本体ケーシング内に配置され、前記空気流通路をフィルタの上流側と下流側に仕切るフィルタと、
前記空気流通路の下流側に設けられ、前記空気流通路の下流側の空気を前記排出口から排出する排気用ファンと、
前記排気用ファンと前記フィルタの間の前記空気流通路と外部とを連通する連通手段と、
前記空気流通路の前記フィルタの下流側であって、前記連通手段による連通箇所より前記フィルタ側に設けられた、フィルタを通過した空気を吸い込むためのフィルタ用ファンと、
を含み、
前記連通手段によって、前記フィルタの下流側の空気流通路と外部との間の空気の流通が可能であり、前記排気用ファンと、前記フィルタ用ファンの両方を駆動し、前記連通手段により前記空気流通路と外部とを連通した状態で、前記フィルタを通過した空気と、連通手段を介し外部から取り入れた空気の両方を前記排出口から排出する空気清浄装置。
【請求項２】
請求項１に記載の空気清浄装置であって、
さらに、
前記フィルタ用ファンと、前記排気用ファンを、独立して駆動制御する駆動制御部を含む空気清浄装置。
【請求項３】
請求項１または２に記載の空気清浄装置において、
前記フィルタ用ファンは遠心タイプ、排気用ファンは軸流タイプのファンである空気清浄装置。
【請求項４】
請求項１〜３のいずれか１つに記載の空気清浄装置において、
前記連通手段は、前記本体ケーシングに設けられ、前記空気流通路と外部とを連通する通気口であることを特徴とする空気清浄装置。
【請求項５】
請求項４に記載の空気清浄装置であって、
前記通気口は、開閉可能であることを特徴とする空気清浄装置。
【発明の詳細な説明】
【技術分野】
【０００１】
本発明は、吸入口から吸い込んだ空気を、フィルタを通過させて清浄化し、得られた清浄化空気を排出口から排出することで空気を清浄化する空気清浄装置に関する。
【背景技術】
【０００２】
従来より、各種の空気清浄装置が販売されている。これらの空気清浄機は、室内の空気中のハウスダスト、カビ、花粉、細菌、ウィルスなどの除去を主な目的としており、紫外線、光触媒、マイナスイオンを利用する空気清浄装置も知られているが、フィルタを用いて微粒子等を除去するものが主流である。
【０００３】
すなわち、空気清浄化機能を得るためには、確実な微粒子の除去が必要であり、フィルタを用いた空気のフィルタリングが必須と考えられる。
【先行技術文献】
【特許文献】
【０００４】
【特許文献１】特開２０００−１８６５７号公報
【特許文献２】特開２００６−２９２２５１号公報
【発明の概要】
【発明が解決しようとする課題】
【０００５】
ここで、フィルタについては、各種の素材が知られており、改善が図られている。一方、空気清浄装置は、本体内にファンを設け、吸い込み口から周辺空気を吸い込み、フィルタ通過後の清浄化空気を排出するという比較的単純な機能であるため、小型化、静音化などの改良が主で、その機能の根本的な改善についてはあまり提案がない。
【課題を解決するための手段】
【０００６】
本発明は、一方側に吸入口、他方側に排出口が設けられ、内部に空気流通路が形成された本体ケーシングと、この本体ケーシング内に配置され、前記空気流通路をフィルタの上流側と下流側に仕切るフィルタと、前記空気流通路の下流側に設けられ、前記空気流通路の下流側の空気を前記排出口から排出する排気用ファンと、前記排気用ファンと前記フィルタの間の前記空気流通路と外部とを連通する連通手段と、前記空気流通路の前記フィルタの下流側であって、前記連通手段による連通箇所より前記フィルタ側に設けられた、フィルタを通過した空気を吸い込むためのフィルタ用ファンと、を含み、前記連通手段によって、前記フィルタの下流側の空気流通路と外部との間の空気の流通が可能であり、前記排気用ファンと、前記フィルタ用ファンの両方を駆動し、前記連通手段により前記空気流通路と外部とを連通した状態で、前記フィルタを通過した空気と、連通手段を介し外部から取り入れた空気の両方を前記排出口から排出することを特徴とする。
【０００８】
さらに、前記フィルタ用ファンと、前記排気用ファンを、独立して駆動制御する駆動制御部を含むことが好適である。
【０００９】
また、前記フィルタ用ファンは遠心タイプ、排気用ファンは軸流タイプのファンであることが好適である。
【００１０】
また、前記連通手段は、前記本体ケーシングに設けられ、前記空気流通路と外部とを連通する通気口であることが好適である。
【００１１】
また、前記通気口は、開閉可能であることが好適である。
【発明の効果】
【００１２】
本発明によれば、連通手段を有するため、フィルタを通過した空気の他に外気を直接取り入れることができ、総送風量を大きくすることで室内の空気循環も行うことができる。
【図面の簡単な説明】
【００１３】
【図１】第１実施形態の全体構成を示す斜視図である。
【図２】第１実施形態の本体ケーシングを除去した構成を示す斜視図である。
【図３】第１実施形態の本体ケーシングを示す斜視図である。
【図４】第１実施形態のフィルタを除去した構成を示す斜視図である。
【図５】第１実施形態の本体ケーシングおよびフィルタを除去した構成を示す斜視図である。
【図６】第２実施形態の全体構成を示す斜視図である。
【図７】第２実施形態の本体ケーシングを除去した構成を示す斜視図である。
【図８】第２実施形態のフィルタを除去した構成を示す斜視図である。
【図９】第２実施形態の本体ケーシングおよびフィルタを除去した構成を示す斜視図である。
【図１０】シャッタの一例を設けた構成を示す図である。
【図１１】シャッタが形成される部位の本体ケーシングの構成を示す図である。
【図１２】シャッタの開閉状態を示す図である。
【図１３】シャッタの他の例を示す図である。
【図１４】シャッタの他の例の構成を示す図である。
【図１５】シャッタが形成される部位の本体ケーシングの構成を示す図である。
【図１６】シャッタのさらに他の例の構成を示す図である。
【図１７】シャッタのさらに他の例の構成を示す図である。
【図１８】ファンが移動する構成例を示す図である。
【図１９】フィルタに外気を通過させるとともに、通気口から外気を吸引する場合の空気の流れを示す図である。
【図２０】通気口を閉じてフィルタに外気を通過させる場合の空気の流れを示す図である。
【発明を実施するための形態】
【００１４】
以下、本発明の実施形態について、図面に基づいて説明する。
【００１５】
＜第１実施形態＞
図１は、第１実施形態に係る空気清浄装置１０の全体構成を示す斜視図であり、図２は本体ケーシングを省略した斜視図、図３は本体ケーシングを示す斜視図である。ここで、各図において、本体ケーシングの開口部に取り付ける比較的大きな塵などを捕集する網状フィルタなどは省略してある。
【００１６】
本体ケーシング１２は、円筒状であり、下端は台座１４に取り付けられ、上端には蓋１６が取り付けられている。
【００１７】
台座１４は、下方に向けて広がるラッパ状の形状をしており、下端が床などに安定して載置できるようになっている。なお、台座１４は、本体を支持できれば、どのような形状でもかまわない。
【００１８】
台座１４の上端には、円筒状のフィルタ１８が取り付けられる。フィルタ１８は、空気を通過させてろ過する円筒状のフィルタ部１８ａと、下部フランジ１８ｂと、上部フランジ１８ｃとからなっており、下部フランジ１８ｃが台座１４の上部に取り付けられる。この下部フランジ１８ｂは、本体ケーシング１２の下端を支持してもよいが、台座１４の上部に円板を設け、この円板でフィルタ１８の下部フランジ１８ｂおよび本体ケーシング１２の下部を支持してもよい。
【００１９】
なお、本実施形態では、本体ケーシング１２、フィルタ１８を円筒状としたが、多角筒状など他の形状とすることも好適である。
【００２０】
フィルタ１８は、下部フランジ１８ｂ、上部フランジ１８ｃともにドーナツ状である。フィルタ部１８ａは、例えば紙や、不織布などで形成され、微粒子を外側表面に捕捉し、清浄化した空気を内側に得る。フィルタ部１８ａは、表面積を広げるために、山谷を周方向に繰り返すように折り曲げられ、下端が下部フランジ１８ｂ、上端が上部フランジ１８ｃに気密に取り付けられている。なお、下部フランジ１８ｂの開口は、台座１４の円板によって閉じられているが、下部フランジ１８ｂに代えて円板を採用して、フィルタ１８の内部空間の下方を閉じてもよい。
【００２１】
フィルタ１８の上部フランジ１８ｃの周辺は、本体ケーシング１２の内面に気密に取り付けられ、下部フランジ１８ｂの周辺または台座１４の上部円板部が本体ケーシング１２の内面に気密に取り付けられる。従って、フィルタ部１８ａの内側空間は、上部フランジ１８ｃの中央開口のみで外部と連通し、フィルタ部１８ａの外側と、フィルタ部１８ａによって区画されている。
【００２２】
そして、フィルタ部１８ａの外側に位置する本体ケーシング１２には、複数の開口部１２ａが設けられており、フィルタ部１８ａの外側空間は外部空間と連通している。
【００２３】
本体ケーシング１２内の上部フランジ１８ｃの上方には、フィルタ用ファン２０が設けられている。このフィルタ用ファン２０の上方には、周辺リングと中心円板を有し、周辺リングと中心円板間が複数の半径方向の複数の連結バーによって連結されたステー２２が配置されている。このステー２２は、周辺リングが本体ケーシング１２の内面に固定されることで、本体ケーシング１２に固定されている。そして、ステー２２に中心円板には、下方に向けてモータ２４が取り付けられ、このモータ２４から下方に伸びる回転軸にフィルタ用ファン２０の羽根２０ａが取り付けられている。従って、モータ２４が回転することで、羽根２０ａが回転され、フィルタ用ファン２０が駆動される。
【００２４】
羽根２０ａは、半径方向に伸びる板状の複数の羽根からなっており、フィルタ用ファン２０は軸流タイプのファンとなっている。
【００２５】
また、このフィルタ用ファン２０が配置される部分の本体ケーシング１２には開口がなく、フィルタ用ファン２０は本体ケーシング１２の円筒内に配置されていることになり、フィルタ用ファン２０を駆動することによって本体ケーシング１２内の空気を上下いずれかの方向に送風することができる。
【００２６】
フィルタ用ファン２０の上方、すなわちステー２２より上方の本体ケーシング１２には、複数の開口が形成され、これが外部と連通する通気口２６となっている。
【００２７】
そして、この通気口２６の上方の本体ケーシング１２内に排気用ファン２８が配置されている。すなわち、通気口２６の上方にステー２２と同様の構成を有するステー３０が配置され、このステー３０の中央円板上にモータ３２が取り付けられ、このモータ３２から上方に伸びる回転軸に排気用ファン２８の羽根２８ａが取り付けられている。従って、モータ３２が回転することで、羽根２８ａが回転され、排気用ファン２８が駆動される。排気用ファン２８も軸流タイプのファンである。
【００２８】
排気用ファン２８の周囲の本体ケーシング１２は閉じており、排気用ファン２８により本体ケーシング１２内の空気が上方向または下方向に送風される。
【００２９】
本体ケーシング１２の上端は開口しており、ここに蓋１６が取り付けられている。この蓋１６は、周辺リングと、中央円板と、複数の中間リングと、これらを連結する半径方向のバーからなっており、空気の流通はほとんど妨げずに、ユーザの手などが本体ケーシング１２の内部に入らないようにするガードになっている。
【００３０】
このように、本実施形態では、フィルタ１８の内部空間と連通する本体ケーシング１２内部にフィルタ用ファン２０が配置されている。従って、フィルタ用ファン２０によって、フィルタ１８の内部空間の排気を行うことで、外部の空気が、フィルタ部１８ａを通過してろ過され、ろ過後の清浄化された空気がフィルタ用ファン２０の上方に向けて送風される。
【００３１】
また、排気用ファン２８により、本体ケーシング１２内の空気を、蓋１６を介し上方に排気することで、フィルタ用ファン２０によって送られて来る空気だけでなく、通気口２６を介し吸い込まれた空気が上方に向けて送風される。
【００３２】
「清浄化＋循環モード（第２モード）」
フィルタ用ファン２０と、排気用ファン２８の送風能力を同一として、両者とも上方に向けて送風すると、フィルタ用ファン２０では、フィルタ部１８ａの圧損分だけ送風能力が減じられるため、排気用ファン２８は、通気口２６からの外気を吸い込みながら、上方に向けて送風することになる。また、排気用ファン２８の送風能力をフィルタ用ファン２０より大きくしても、通気口２６から外気が吸い込まれ、上方に向けて送風される。
【００３３】
これによって、フィルタ部１８ａを通過した清浄化した空気だけでなく、通気口２６から吸い込んだ空気も送風することができ、空気清浄機の上方に向けた送風量を大きくすることができる。従って、室内の空気をフィルタ１８によって清浄化するとともに、室内の空気の循環を十分なものにできる。これによって、空気循環を行うことで、室内の空気が流動し、開口部１２ａの周辺だけでなく、室内全体の空気をフィルタ１８により清浄化することが可能になる。
【００３４】
また、フィルタ用ファン２０の送風方向は、上述の場合と同様に上向きとし、排気用ファン２８の送風方向を下向きにすると、フィルタ用ファン２０からの送風空気、排気用ファン２８の送風空気が一緒になって、通気口２６から排出されることになる。これによって、装置の下方および上方からの空気を吸い込み通気口２６から略水平方向に空気を吹き出すことができ、フィルタ１８による空気清浄化と、室内空気の循環を行える。
【００３５】
排気用ファン２８の送風方向を適宜反転することで、室内空気について複数の方向の循環が行え、室内空気全体を動かし、清浄化することが可能となる。
【００３６】
また、本体ケーシング１２を円筒状としたため、回転するファンによる送風能力を十分に発揮させることができ、また設置面積を小さくすることができる。
【００３７】
「空気循環モード（第２モード）」
フィルタ用ファン２０を停止し、排気用ファン２８のみを駆動することによって、空気循環のみが行われる。排気用ファンの送風方向を反転させることで、通気口２６から空気を吸い込み上方に向けて排気するモードと、上方から空気を吸い込み通気口２６から側方に向けて排気するモードとを切り換えて使用することができる。
【００３８】
「清浄化モード（第１モード）」
排気用ファン２８を停止し、フィルタ用ファン２０のみを駆動することによって、フィルタ１８を通過した空気が上方に向けて排出される。この場合、通気口２６からも空気は排出されることがあるが、多くは、そのまま上方に抜けることになる。そして、上方に排出された空気によって室内の空気が循環されるが、排気用ファン２８が駆動される場合に比べ、その風量は少なく、空気循環機能は比較的小さい。なお、排気用ファン２８を停止するのではなく、その風量を減少するのでもよい。
【００３９】
＜第２実施形態＞
図６〜図９に第２実施形態の構成を示す。この実施形態では、フィルタ用ファン２０として、遠心タイプのファンであるシロッコファンを使用している。すなわち、このフィルタ用ファン２０では、上から見て半径方向から一方向側にずれた板状の多数の羽根４０が円筒状に配置されている。そして、この羽根４０の円筒の上側は上部円板４２に固定され、この上部円板によって閉じられている。一方、羽根４０の円筒の下側は、ドーナツ状のリング４４に接続されており、このリング４４がフィルタ１８の上部フランジ１８ｃの内周に回転自在に支持されている。
【００４０】
そして、ステー２２は、フィルタ用ファン２０の上方にあり、このステー２２の中心部の下側にモータ２４が取り付けられている。フィルタ用ファン２０の上部円板４２は中央部分が下方に向けて凹んでおり、ここにモータ２４の一部が収容される。また。モータ２４の出力軸が上部円板４２の中心に固定されている。
【００４１】
上部円板４２の径は、本体ケーシング１２の内径に比べ小さく設定されているため、円筒状の羽根４０の周囲空間は、本体ケーシング１２内で上方に連通しているが、円筒状の羽根４０の下端において上部フランジ１８ｃによって閉じられている。一方、フィルタ部１８ａの内部空間と円筒状の羽根４０の内部空間は、リング４４の中央開口により連通している。
【００４２】
従って、羽根４０を所定方向に回転することによって、羽根４０の内部空間の空気が周囲空間に向けて送られ、本体ケーシング１２内を上方に向けて送風される。従って、フィルタ１８によって清浄化された空気がフィルタ用ファン２０によって本体ケーシング１２内を上方に向けて送風される。
【００４３】
ここで、シロッコファンなどの遠心タイプのファンは、軸流タイプに比べ吸い込み側と排出側の圧力差を大きくできる。そこで、フィルタ用ファン２０を遠心タイプ、排気用ファン２８を軸流タイプにすることで、フィルタ１８による圧損を考慮して、効率的なろ過処理を行うことができ、排気用ファン２８によって通気口２６を利用して効率的な送風が行える。
【００４４】
このように、２つのファンの特性を異なるものにすることで、全体して効率的な空気清浄化、および空気循環が行える。
【００４５】
＜シャッタ＞
ここで、図１０〜図１２には、通気口２６にシャッタ５０を設けた構成例が示してある。この例では、図１１に示す、本体ケーシング１２の通気口２６が設けられている部分の内側に上下方向および半径方向に移動するシャッタ５０が配置され、このシャッタ５０によって通気口２６を開閉する。
【００４６】
本体ケーシング１２に内側にステー５２が取り付けられ、このステー５２の中央部分には、モータ５４が取り付けられ、このモータ５４によってピニオンギア５６が回転される。ピニオンギア５６には、ラック５８が噛み合わされており、ピニオンギア５６が正逆方向に回転することており、ラック５８が上下方向に移動する。
【００４７】
ラック５８の下端は、円筒状の中心部材６０に接続されており、この中心部材から半径方向に伸びる連結材６２に通気口２６の形に対応した蓋材６４が取り付けられている。
【００４８】
ここで、蓋材６４は、連結材６２に対し、半径方向移動自在に取り付けられているとともに、その両側に設けられたピン６６が本体ケーシング１０の通気口２６の円周方向両側に当たる部分に設けられたガイド溝６８に係合している。そして、ガイド溝６８は、ピン６６の下方への移動に伴い、ピンが本体ケーシング１０の内側に移動するように形成されている。従って、連結部材６２の上下方向の移動に伴い、蓋材６４は上下方向に移動するだけでなく、半径方向にも移動する。
【００４９】
すなわち、図１２に示すように、蓋材６４が上端に位置する場合には、蓋材６４は半径方向の外側に位置して、通気口２６に押しつけられ、通気口２６を閉じる。一方、蓋材６４が下方に移動すると、ガイド溝６８にガイドされて、蓋材６４は通気口２６から内側に引っ込み、本体ケーシング１２内に収容される。
【００５０】
このようにして、モータ５４の正逆回転によって、蓋材６４により通気口２６を閉じた入り、開放したりすることができる。
【００５１】
図１３〜図１５には、シャッタ５０の他の構成例が示してある。この例では、図１５に示す、本体ケーシング１２の通気口２６が設けられている部分の内側に円周方向に移動するシャッタ５０が配置され、このシャッタ５０によって通気口２６を開閉する。
【００５２】
本体ケーシング１２に内側にステー５２が取り付けられ、このステー５２の中央部分には、モータ５４によって水平面内で回転される回転円板７０が設けられており、この回転円板７０の下面に返信してピン（図示せず）が取り付けられている。
【００５３】
そして、図１４に示すように、この回転円板７０の下面の偏心した位置にピン（図示せず）が突出形成されている。従って、この回転円板７０のピンがモータ５４の回転により旋回運動をする。
【００５４】
回転円板７０の下にはガイドバー７２が設けられ、このガイドバー７２の長穴７４に回転円板７０のピンが係合する。また、ガイドバー７２の下方には、回動円筒７６が設けられており、この回動円筒７６の上端には、中心方向に向かう複数の連結材７８と、この連結材の内側に接続された中心部８０が形成され、回動円筒７６の周辺円筒部８２には、複数の窓８４が設けられている。
【００５５】
この窓８４は、本体ケーシング１０の通気口２６に対応した形状となっており、回動円筒７６が回動することによって通気口２６が開閉される。
【００５６】
そして、ガイドバー７２の一端側の下面には、ピンが形成されており、このピンが中心部８０に偏心して設けられた穴８０ａと係合する。従って、回転円板７０のピンが長穴７４中で移動し、これによるガイドバー７２の回動が穴８０ａを介し、回動円筒７６の往復回動運動に変換される（図１３Ａ，Ｂ参照）。この回動円筒７６の往復回動量を通気口２６の開閉に対応することで、モータ５４の回転により、通気口２６の開閉が可能となる。
【００５７】
また、図１５に示すように、通気口２６を本体ケーシング１０の円周方向半分のみに設けた。これによって、通気口２６から吸い込む空気の方向を限定できるが、通気口２６を全面に設け、回動円筒７６に設ける窓８４も対応して全面に設けてもよい。
【００５８】
ここで、シャッタ５０をユーザが手で操作して、モードを切り換えるようにしてもよい。
【００５９】
このように、シャッタ５０によって、通気口２６を開閉することで、排気用ファン２８をフィルタ１８によるろ過のためのものと、空気循環を主な機能とするものの両方に切り換えることができる。
【００６０】
さらに、図１６に示すように、通気口２６を設けず、フィルタ部１８の外部空間と排気用ファン２８を収容する空間を連通するバイパス５６を設け、このバイパス５６を開閉するシャッタ５０を設けてもよい。この例では、バイパス５６は、パイプ状で、フィルタ部１８の外部空間からフィルタ用ファン２０の上方空間にまで伸びている。そして、このバイパス５６の上端開口を開閉するシャッタ５０を設けている。シャッタ５０は、リング状でありバイパス５６に対応した数の開口を有し、円周方向に移動することでバイパス５６の上端開口を開閉する。
【００６１】
これによって、バイパス５６を開閉することができ、排気用ファン２８による送風をフィルタ１８の内側空間からか、外側空間（外部）からかを切り換えることができる。
【００６２】
なお、バイパス５６は、フィルタ部１８ａの内側空間を伸び、フィルタ部１８ａを貫通して、外側空間に連通するようにしてもよい。
【００６３】
図１７には、さらに変形例が示してある。この例では、図１４の例と比較して、ファンがフィルタ用ファン２０、１つしかない。そして、フィルタ１８の上部フランジ１８ｃの周囲にフィルタ部１８ａの外部空間と連通する開口８０を設け、この開口８０を開閉するシャッタ５０を設けている。これによって、開口８０を開閉することができ、フィルタ用ファン２０による送風をフィルタ１８の内側空間からか、外側空間（外部）からかを切り換えることができる。なお、この場合も開口８０が連通する通路をフィルタ部１８ａの内側空間を伸び、フィルタ部１８ａを貫通して、外側空間に連通するようにしてもよい。
【００６４】
図１８には、さらに他の例を示してある。この例では、排気用ファン２８が上下動する。すなわち、排気用ファン２８を通気口２６の上部と、下部の２位置に移動可能になっている。これによって、排気用ファン２８が通気口２６の下方にある場合に、排気用ファン２８はフィルタ部１８の内部空間からの空気を吸い込み上方に送風し、排気用ファン２８が通気口２６の上方に位置する場合に、排気用ファン２８は通気口２６から吸い込んだ外気を上方に送風する。
【００６５】
なお、この例では、フィルタ用ファン２０を省略しているが、フィルタ用ファン２０を設け、フィルタ用ファン２０は上述の実施形態と同様にフィルタ部１８ａの内部空間からの空気を排出するようにするとよい。
【００６６】
＜風の流れ＞
図１９には、排気用ファン２８において、通気口２６からの外気を吸い込むモードでの空気の流れを示してある。このように、フィルタ用ファン２０によって、フィルタ１８の内部空間の空気を上方に向けて送風することで、外気が開口部１２ａを介し、フィルタ１８を通過し、清浄化された空気が、上方に向けて送風される。また、排気用ファン２８によって、通気口からの外気が取り入れられ、これを合わせた空気が上方に向けて送風される。
【００６７】
図２０には、通気口２６をシャッタ５０によって閉じた場合の空気の流れを示してある。このように、フィルタ用ファン２０，排気用ファン２８によって、フィルタ１８を通過した清浄化空気が上方に向けて送風される。このように、２つのファンによって送風するため、フィルタ１８を通過して清浄化される空気量を増加することが可能になる。
【００６８】
＜その他＞
上述の例では、シャッタ５０は、本体ケーシング１２に設けた通気口を内側から開閉するように構成した。しかし、通気口２６を本体ケーシング１２の外側から開閉するように構成してもよい。また、バイパス５６を本体ケーシング１２内に配置したが、これも本体ケーシング１２の外側に配置することもできる。
【００６９】
制御装置によって、各種モードを自動的に切り換えることができる。例えば、１０分おきなど、定期的に空気循環を強めたり、各種センサの出力信号によって、空気循環モードや、空気清浄モードを切り換えることもできる。例えば、上方下方の温度差が大きな時に空気循環を行ったり、空気中の微粒子量を検出して、微粒子量が多かった場合に、空気清浄を強めたりすることができる。
【００７０】
図示は，省略したが、フィルタ用ファン２０、排気用ファン２８を駆動するモータ２４、３２には、直流モータが採用される。そこで、通常交流１００Ｖの商用電力を直流に変換した直流電力を供給して駆動する。なお、モータ２４，３２を交流モータとして交流電力をそのまま供給してもよい。また、マイコンなどの制御部を設け、これによってモータの駆動制御を行えば良い。
【００７１】
また、上記実施形態では、フィルタ用ファン２０と排気用ファン２８を１つずつ設けたが、フィルタ用ファン２０または排気用ファン２８のいずれかを複数としたり、両方を複数としてもかまわない。このようにすることで、送風量についての自由度を向上することができる。
【００７２】
＜実施形態の効果＞
本実施形態によれば、次のような効果が得られる。
（ｉ）フィルタを通った清浄化空気だけでなく、外気を取り入れこれを送風することができる。これによって、送風量を大きくすることができ、室内の空気を循環することができる。そして、空気循環を行うことで、室内の空気全体を清浄化できる。
（ｉｉ）２つのファンを設け、これらを独立して制御することで、各種のモードでの運転が可能になる。
（ｉｉｉ）シャッタを設けることで、確実なモード切替が行え、空気清浄の能力も切り換えることができる。
【符号の説明】
【００７３】
１０  空気清浄装置、１２  本体ケーシング、１２ａ  開口部、１４  台座、１６  蓋、１８  フィルタ、１８ａ  フィルタ部、１８ｂ  下部フランジ、１８ｃ  上部フランジ、２０  フィルタ用ファン、２０ａ，２８ａ，４０  羽根、２２，３０  ステー、２４  モータ、２６  通気口、２８  排気用ファン、３２  モータ、４２  上部円板、４４  リング、５０  シャッタ、５２  ステー、５６  バイパス。
【図１】
0005864344.tif 000002
【図２】
0005864344.tif 000003
【図３】
0005864344.tif 000004
【図４】
0005864344.tif 000005
【図５】
0005864344.tif 000006
【図６】
0005864344.tif 000007
【図７】
0005864344.tif 000008
【図８】
0005864344.tif 000009
【図９】
0005864344.tif 000010
【図１０】
0005864344.tif 000011
【図１１】
0005864344.tif 000012
【図１２】
0005864344.tif 000013
【図１３】
0005864344.tif 000014
【図１４】
0005864344.tif 000015
【図１５】
0005864344.tif 000016
【図１６】
0005864344.tif 000017
【図１７】
0005864344.tif 000018
【図１８】
0005864344.tif 000019
【図１９】
0005864344.tif 000020
【図２０】
0005864344.tif 000021